(57)【要約】【課題】ラップフィルムをフィルムカッターで切断した後、容器内に残置する側で、フィルムカッターで切断した辺りのラップフィルム部分が、次回ラップフィルムの取り出し使用に不都合を来すことがないようにする、新規な構造からなる家庭用ラップ収容容器を提供する。【解決手段】ラップフィルムＲを収容可能な大きさの横長箱体１と、平面矩形で袴部２１，２２を有し、該袴部２１，２２の下端縁にフィルムカッター２３を付設してなるものとした蓋体２が開閉自在に組み合わされる一方、該蓋体２を横長箱体１開口に被冠状としたときに、当該フィルムカッター２３位置と同横長箱体１の折り目３とならないもう一方の長辺縁との間に位置することとなる横長箱体周壁１１適所から下方位置に、フィルム剥がし４を形成してなるものとした家庭用ラップ収容容器である。【選択図】　　図１
2004075192.tif 000002
【特許請求の範囲】
【請求項１】
紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面で、少なくとも当該折り目となる長辺以外の長辺に前記横長箱体の深さ寸法よりも小さい巾寸法とした袴部を有し、該袴部の下端縁にフィルムカッターを付設してなるものとした蓋体が開閉自在に組み合わされる一方、該蓋体を横長箱体開口に被冠状としたときに、当該フィルムカッター相当位置と同横長箱体の折り目とならないもう一方の長辺縁との間に位置することとなる横長箱体周壁適所から下方位置に、フィルム剥がしを形成してなるものとしたことを特徴とする家庭用ラップ収容容器。
【請求項２】
紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面で、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体を横長箱体開口に被冠状としたときに、当該フィルムカッター相当位置と同横長箱体の折り目とならないもう一方の長辺縁との間に位置することとなる横長箱体周壁適所からは、同周壁下方に向けて舌片状または垂れ下げ状としたフィルム剥がしを形成してなるものとしたことを特徴とする家庭用ラップ収容容器。
【請求項３】
舌片状としたフィルム剥がしは、横長箱体の折り目とならないもう一方の長辺縁が属することとなる横長箱体周壁の所定箇所に、予めそれ用の切り目加工の施されたものに形成され、使用段階で切り出し、折曲することによって実現されるものとした、請求項２記載の家庭用ラップ収容容器。
【請求項４】
垂れ下げ状としたフィルム剥がしは、横長箱体の折り目とならないもう一方の長辺縁が属することとなる横長箱体周壁の所定箇所に、予めそれ用の切り目加工の施されたものに形成され、使用段階で切り出し、同切り出し部に輪ゴムやゴム紐、または糸やコイル等を係止状とすることによって実現されるものとした、請求項２記載の家庭用ラップ収容容器。
相当
【請求項５】
紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面で、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体を横長箱体開口に被冠状としたときに、当該フィルムカッター相当位置と同横長箱体の折り目とならないもう一方の長辺縁との間に位置することとなる横長箱体周壁適所には、周壁自体に凹凸加工を施すか、別体の凹凸加工部片またはスポンジ片を貼着するかしたフィルム剥がしを形成してなるものとしたことを特徴とする家庭用ラップ収容容器。
【請求項６】
紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面で、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体を横長箱体開口に被冠状としたときに、当該フィルムカッター相当位置と同横長箱体の折り目とならないもう一方の長辺縁との間に位置することとなる横長箱体周壁適所には、非接着面処理の施されてなるフィルム剥がしを形成してなるものとしたことを特徴とする家庭用ラップ収容容器。
【請求項７】
フィルム剥がしは、蓋体蓋部を横長箱体開口に被冠状としたときの当該フィルムカッター相当位置よりも下方にまで達するものとした、請求項１ないし６何れか記載の家庭用ラップ収容容器。
【請求項８】
紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面で、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体を横長箱体開口に被冠状としたときに、当該フィルムカッター相当位置と同横長箱体の折り目とならないもう一方の長辺縁との間に位置することとなる横長箱体周壁適所には、指先またはその一部を吸収可能とする大きさの孔または割れ目からなるフィルム剥がしを形成してなるものとしたことを特徴とする家庭用ラップ収容容器。
【請求項９】
紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面で、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体を横長箱体開口に被冠状としたときに、当該フィルムカッター相当位置と同横長箱体の折り目とならないもう一方の長辺縁との間に位置することとなる横長箱体周壁適所からは、同周壁下端に達するか、達した後で僅かに底面に回り込むようにして、予め切り目加工の施されたものに形成され、使用段階で切り出し、その下端側を当該横長箱体周壁から外側に遊離する舌片状のものにしたことを特徴とする家庭用ラップ収容容器。
【請求項１０】
フィルム剥がしは、横長箱体の折り目とならないもう一方の長辺縁が属することとなる横長箱体周壁の中央辺り一箇所の所定範囲か、または全長要所要所の複数箇所における夫々所定範囲かに形成されてなるものとした、請求項１ないし９何れか記載の家庭用ラップ収容容器。
【請求項１１】
フィルム剥がしは、横長箱体の折り目とならないもう一方の長辺縁が属することとなる横長箱体周壁の全長またはその約半分以上の長さ範囲に渡って連続して形成されてなるものとした、請求項６記載の家庭用ラップ収容容器。
【発明の詳細な説明】
【０００１】
【発明の目的】
この発明は、主として家庭内で食料品等を保護したり、まとめる際に多用されるラップフィルムを収容し、必要な長さに引き出しては適宜切断使用することができるようにするために用意される家庭用ラップ収容容器に関するものであり、特に、ラップフィルムをフィルムカッターで切断した後、容器内に残置する側のラップフィルムで、フィルムカッターで切断した辺りの部分が、容器外側面に密着状となってしまい、次回ラップフィルムの取り出し使用に不都合を来すことがないようにする、新規な構造からなる家庭用ラップ収容容器を提供しようとするものである。
【０００２】
【従来の技術】
日常生活の中で、物を包む必要性は、遠い昔の時代から不可欠な処理方法の一つであって、例えば食べ物の場合であれば、所定量毎にまとめ、衛生的且つ効率的に取り扱うことができるようにするという商品流通上の意図から、戦後、プラスチックフィルムに取って変られるまでにも、経木や竹の皮、油紙やパラフィン紙、セロハン等といった包装材を使って食料品を包んで取り扱ってきていた歴史が示すとおりであるが、家庭内での食料品の取扱いにおいて盛んに包むという処理が取り入れられるようになるのは、プラスチックフィルムが登場したずっと後であって、冷蔵庫が広く一般家庭にも普及するようになり、その中に買い置き用、あるいは食べ残し等の食料品を保存または冷凍保存することができるようになって以来のことであり、そして、この一般家庭におけるプラスチックフィルム使用量が飛躍的な伸びを示すようになるのが、プラスチックフィルム化技術としてのインフィレーション法が確立、定着すると共に、電子レンジの普及、拡大を待ってからであった。
【０００３】
こうして一般家庭用の、それも主として食べ物を包む目的で大量に供給されるようになったプラスチックフィルム、特に超薄厚で耐熱性に秀れたラップフィルム（オーバーラップフィルム）の登場で、その仮着性の良さとも相俟って、家庭内での生鮮食料品を包む処理は格段に容易化されることとなり、それらは、フィルム原反を３０ｃｍ巾、４０ｃｍ巾等といった所定サイズにカットしたものを、紙管に２０ｍ巻き、５０ｍ巻きしたロール状のものとして角筒型の箱容器内に収容し、その端部側から必要な長さ分だけ引き出し、予め箱容器の引出し口に用意されているフィルムカッターの付いた蓋部を手で軽く固定した上、ラップフィルムを引出した側のもう一方の手で、それらフィルムをフィルムカッター沿いに折り返されるような状態にしたまま引っぱることにより、極めて簡単、確実に所望大きさにカットされるようにしたものとして各家庭に採用、定着し、その後も、フィルムカッター部分等については、切れ味や切り離し操作性等を考慮して各社各様の改良が加えられてきている。
【０００４】
それらフィルムカッターの刃の形状、構造等に係わる改良以外にも、例えば、容器本体内に残存する側のラップフィルムを次回使用する際、フィルムカッターで切り離されて容器本体側に残るラップフィルムの切り口側が、容器本体の外側で、フィルムカッターの裏辺りに残されている（この状態だと次回使用時の摘み部分となる）筈べきものを、ロール状となっている側の容器本体内に引き込まれてしまってその切り口自体を見失わせてしまうという不具合に対処できるように、ラップフィルムのフィルムカッターの裏辺りに残る切り口側が、容器本体外側に確実に密着状となるよう、フィルムカッターの裏に対面する容器本体周壁表面が、ラップフィルムへの密着性を良くするような仕上げ面にする改良等も加えられ、それまでのような不都合は解消されることとなった。
【０００５】
ところが、この不都合への解消策が、今度は、摘み部分となる筈べき切り口側、即ち、フィルムカッターで切り離されて蓋部の内側に押さえ込まれて残置することとなった部分が、容器本体の取出し口辺りの周壁印刷面に貼り付いた状態になってしまって、次回にラップフィルムを引き出し、使用しようとする際、当該ラップフィルム端縁を指先で摘むことが極めて難しいどころか、その端縁を見定めるのさえ困難とする程の貼り付き具合になってしまっていて、健常者といえども爪で剥がす等の工夫を要することとなり、ましてや老人をはじめ、目や手先が不自由な人々にとっては極めて使い辛いラップフィルムに変貌して余計な取扱いを必要とするという新たな問題を抱えることとなった。
【０００６】
そこで、この発明では、以上のようなラップの新たな課題に対処し、効率的且つ簡単、迅速な使用を可能にし、老人や身体的な障害を抱える人々にとっても使い易いラップフィルムを実現することはできないものかと、逸速くその開発、研究に着手し、長期に渡る試行錯誤と幾多の試作、実験とを繰り返してきた結果、今回遂に、現状の家庭用ラップ収容容器の特徴、即ちラップフィルムの切り口側が容器本体内に引き込まれないようにした構成を維持したまま、次回使用段階での取り出しを容易にする新規な構造の家庭用ラップ収容容器を実現化することに成功したものであり、以下では、図面に示すこの発明を代表する後述の幾つかの実施例と共に、その構成を詳述していくこととする。
【０００７】
【発明の構成】
上記のとおりの目的を達成することとなるこの発明の家庭用ラップ収容容器は、基本的に次のとおりの構成を要旨とするものである。　　　　　　　　　　即ち、紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面の蓋部と、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体蓋部を横長箱体開口に被冠状としたときに、当該フィルムカッター相当位置と同横長箱体の折り目とならないもう一方の長辺縁との間に位置することとなる横長箱体周壁適所から下方位置に、フィルム剥がしを形成してなるものとした構成の家庭用ラップ収容容器である。
【０００８】
そして、この基本的な構成の家庭用ラップ収容容器には、より具体的な記載表現によって示すことができる、以下のとおりの構成からなるものが包含されることになる。　　　　　　　　　　　　　　　　　　　　　　　　　　　　　　その代表的なものの一つが、紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面の蓋部と、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体蓋部を横長箱体開口に被冠状としたときに、当該フィルムカッター相当位置と同横長箱体の折り目とならないもう一方の長辺縁との間に位置することとなる横長箱体周壁適所からは、同周壁下方に向けて舌片状または垂れ下げ状としたフィルム剥がしを形成してなるものとした家庭用ラップ収容容器である。
【０００９】
他の一つが、紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面の蓋部と、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体蓋部を横長箱体開口に被冠状としたときに、当該フィルムカッター相当位置と同横長箱体の折り目とならないもう一方の長辺縁との間に位置することとなる横長箱体周壁適所には、周壁自体に凹凸加工を施すか、別体の凹凸加工部片またはスポンジ片を貼着するかしたフィルム剥がしを形成してなる構成の家庭用ラップ収容容器である。
【００１０】
更に他の一つが、紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面の蓋部と、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体蓋部を横長箱体開口に被冠状としたときに、当該フィルムカッター相当位置と同横長箱体の折り目とならないもう一方の長辺縁との間に位置することとなる横長箱体周壁適所には、非接着面処理の施されてなるフィルム剥がしを形成してなるものとした家庭用ラップ収容容器である。
【００１１】
そして、更に他の一つとして　紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面の蓋部と、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体蓋部を横長箱体開口に被冠状としたときに、当該フィルムカッター相当位置と同横長箱体の折り目とならないもう一方の長辺縁との間に位置することとなる横長箱体周壁適所には、指先またはその一部を吸収可能とする大きさの孔または割れ目からなるフィルム剥がしを形成してなる構成の家庭用ラップ収容容器も包含されている。
【００１２】
最後に、紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面で、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされる一方、該蓋体を横長箱体開口に被冠状としたときに、当該フィルムカッター相当位置と同横長箱体の折り目とならないもう一方の長辺縁との間に位置することとなる横長箱体周壁適所からは、同周壁下端に達するか、達した後で僅かに底面に回り込むようにして、予め切り目加工の施されたものに形成され、使用段階で切り出し、その下端側を当該横長箱体周壁から外側に遊離する舌片状のものにしてなる家庭用ラップ収容容器も包含される。
【００１３】
この発明の容器は、従前までのものの殆どそうであるように、紙管に巻き取られたラップフィルムを収容可能な大きさの横長箱体で、該横長箱体開口縁の何れか一方の長辺縁には、その長辺縁を折り目として連続し、同横長箱体開口に略合致するようにした矩形平面の蓋部と、少なくとも当該折り目となる長辺以外の長辺に前記横長箱体の深さ寸法よりも小さい巾寸法とした袴部を有していて、該袴部の下端縁にフィルムカッターを付設してなるものとした蓋体が開閉自在に組み合わされ、フィルムカッターを除く蓋体と横長箱体とが、一枚の平板状厚紙を型取り、打ち抜いたものから折り曲げていって連続形成できるようにしたものであり、平面矩形とする蓋体の一方の長辺は、横長箱体開口縁の何れか一方の長辺縁に相当するものとなり、その部分を折り目として蓋体が当該横長箱体に対して開閉自在に組み合わされるようにしたものであれば、蓋体における袴部の形成手段（折り曲げやその固定手段等）や、横長箱体における底部とその周壁との形成手段（折り曲げやその固定手段等）等に構成上、多少の相違点を有するものであったとしても、それら全てが包含されている。
【００１４】
なお、横長箱体開口縁の何れか一方の長辺縁であって、平面矩形とする蓋体の何れか一方の長辺にも相当することとなる折り目は、横長箱体と蓋体との間に介在して横長箱体に対して蓋体を開閉自在とする機能を果たすものであり、一枚の型抜き紙によって横長箱体と蓋体とを同時に形成するものであれば、当然横長箱体と蓋体とは正しく連続したものとなるが、この折り目を境にして連続するとの構成には、必ずしもそのような一枚の型抜き紙によって形成されるものだけに限定されている訳ではなく、横長箱体と蓋体とを夫々別体の型抜き紙その他で形成し、折り目とする横長箱体開口縁の何れか一方の長辺縁と、平面矩形とする蓋体の何れか一方の長辺とを後からテープによって連続するようにしたり、周知されている蝶番構造のような手段で連続するようにしたもの等も勿論包含していることはいうまでもないことである。
【００１５】
また、蓋体の折り目としない側であって、フィルムカッターを付設する部分となる長辺は、必ずしも一直線状のものだけに限定される訳ではなく、カッター機能との係わりで改変されることのある各種形状、例えば浅いＶ字形や鋸刃状その他形状のものであっても何等差し支えはなく、該長辺部分に付設されるフィルムカッターについても、同様にその形状、構造は全く限定されるものではなく、最も望ましいものを適宜選択、採用することができる。
【００１６】
フィルム剥がしは、フィルムカッターで切り離されて蓋部の内側に押さえ込まれて残置するラップフィルム部分が、容器本体の取出し口辺りの周壁印刷面に貼り付いた状態になってしまって、次回にラップフィルムを引き出し、使用しようとする際、当該ラップフィルム端縁を指先で摘むことができなくなる不都合を解消する機能を果たすものであり、したがって、極薄手で分子間引力で接着しようとするラップフィルムの属性を解消するか、その属性を弱めることができるようにする各種構造のもの、代表的なものとしては、例えば、被接着面（容器本体の取出し口辺りの周壁印刷面）の一部に、当該被接着面から突出状となるようにした舌片状または垂れ下げ状のものや、容器本体の周壁自体を直接加工処理するしたものだけではなく、その周壁面上に樹脂液等を点在状に配置する等して凹凸加工処理したもの、あるいはそれら凹凸が施されている別体の部片を、事前にか使用段階に然るべき箇所に貼着して凹凸加工処理したようにするものが含まれている。
【００１７】
その他フィルム剥がしとしては、軟質ウレタンフォームその他の軟質合成樹脂発泡体のように大幅に容積を可逆的に変更できるスポンジ体を然るべき箇所に貼着し、外力が加わって簡単に弾性変形してしまうようなものとしたり、テフロン（登録商標）塗膜や梨地処理テープを接着するか、印刷塗膜面を研摩処理、あるいは印刷を変更または省略する等といった非接着面処理の施されたものにしたり、あるいは、指先またはその一部を吸収可能とする大きさの孔または割れ目を用意し、仮令ラップフィルムが接着した状態になっていたとしても、それら孔または割れ目に向け、ラップフィルムの上から指先を押し当てることにより、その辺りのラップフィルムの接着状態が強制的に解消されてしまうようにしたもの等といった各種構造によるものとして形成される。
【００１８】
このフィルム剥がしは、予め容器本体の取出し口辺りの周壁印刷面であって、横長箱体の折り目とならないもう一方の長辺縁が属することとなる横長箱体周壁の所定箇所に、即ち、蓋体蓋部を横長箱体開口に被冠状としたときに、フィルムカッター相当位置と同横長箱体の折り目とならないもう一方の長辺縁との間であって、望ましくは、それらの位置から当該フィルムカッター相当位置よりも下方にまで達するようにしたものとして形成されるようにすべきであり、しかも、それらは、横長箱体の折り目とならないもう一方の長辺縁が属することとなる横長箱体周壁の中央辺り一箇所に形成されてなるものとする外、同横長箱体周壁の全長に渡ってか、または全長の要所要所に複数箇所形成するかしたものとすることができる。　　　　　　　　　　　　　　　　　　　　　　　　　　　　　　以下、図面に示すこの発明を代表する幾つかの実施例を取り上げて具体的な説明を加えることにより、上述までのこの発明の家庭用ラップ収容容器の構成がより一層明確に把握し得るものとなるようにしていくこととする。
【００１９】
【実施例１】
図１のラップフィルムＲを装填した状態で示す全体斜視図に取り上げてあるものは、この発明の構成からなる最も代表的な事例によるものであり、上方を開口する横長箱体１と、当該横長箱体１開口を開閉自在に閉鎖可能とする平面矩形状のものであり、その少なくとも三辺に前記横長箱体の深さ寸法よりも小さい巾寸法とした袴部２１，２２，２２を有すると共に、何れか一方の長辺に連続する袴部２１下端縁にフィルムカッター２３を付設してなる構造の蓋体２との組み合せからなる家庭用ラップ収容容器である。
【００２０】
そして、フィルム剥がしは、横長箱体１の折り目３とならないもう一方の長辺縁が属することとなる横長箱体１の周壁１１であって、蓋体２を横長箱体１開口に被冠状としたときに、フィルムカッター２３位置と同横長箱体１の折り目３とならないもう一方の長辺縁との間で、周壁１１の長手方向中央辺り一箇所に、予め半月状の切り目加工による引っ掛け部３１を形成しておき、それをやや押し出し気味として輪ゴム４２を係止させ、当該係止箇所に相対する箇所の輪ゴム４２部分に摘み４３を取着したものとして形成する。
【００２１】
なお、この事例における輪ゴム４２は、単なるゴム紐、または伸縮性のない糸やコイル等変更可能であることは勿論のこと、引っ掛け部４１への輪ゴム４２等の取着は、商品として製造する段階に実施されるものの外、単に引っ掛け部４１だけが予め形成されたものとし、使用段階で消費者等が必要に応じてそれら輪ゴム４２等を取着するようにしたものも含まれ、それらには、必ずしも摘み４３を必要とするものではなく、場合によっては省略することも勿論可能である。
【００２２】
この実施例によるフィルム剥がしは、フィルムカッター２３で切り離されて蓋部２の袴部２１の内側に押さえ込まれて残置するラップフィルム部分Ｒ１と容器本体１の取出し口辺りの周壁１１印刷面との間に介在状になって、ラップフィルム部分Ｒ１の切断縁よりも下方に紐状に垂れ下がった状態になるようにしてあることから、次回使用の際には、下方に突き出ている摘み４３を引き上げるようにすると、ラップフィルムの密着具合に応じながら輪ゴム部分が伸び、一気にラップフィルムに力が加わって裂いてしまうようなこともなく、ラップフィルム部分Ｒ１の切断縁側が、簡単に容器本体１周壁１１から剥がれ、指で摘むことができる状態になる。
【００２３】
【実施例２】
図２の一部に断面を含む斜視図に示した事例は、他のフィルム剥がしを採用したものであって、上記した実施例１における半月状の切り目加工による引っ掛け部４１が、輪ゴム４２等を掛止用に用意するものではなく、それ自体を略１８０度折り返した状態にして使用することにより、当該折り返し状の舌片が容器本体１の所定周壁印刷面より突出状になり、その部分よって同所で密着状になってしまう筈のラップフィルム部分を浮き上がらせてしまう折り返し部４４とするようにした家庭用ラップ収容容器の事例である。
【００２４】
したがって、この折り返し部４４の浮き上がらせる機能が最大限に発揮されるよう、上記のような半月状の切り目加工ではなく（但し、そのような形状による事例のものを除外するものではない。）、図示したとおり、縦長矩形状で長めのものとするのが望ましく、この事例においても、折り返し部４４の折り曲げ下端縁は、ラップフィルム部分Ｒ１の切断縁よりも下方に突出状となるようにした配置、形状のものとするのが望ましいと言える。
【００２５】
【実施例３】
図３の一部に断面を含む斜視図に示した事例は、他のフィルム剥がしを採用したものの他の事例による家庭用ラップ収容容器であって、上記した実施例２における切り目加工による折り返し部４４と基本的に同様の機能を果たすこととなるものの、上記実施例２の折り返し部４４のように折り返すのと違って、予め切り目加工を施した部分を所定周壁印刷面よりも単に突出状となるように押し出しただけの浮き出し片４５とするようにしたものである。
【００２６】
この事例による家庭用ラップ収容容器の浮き出し片４５では、左右方向にコの字状の切り目加工したものとしてそれを周壁よりも表側に突出するようにして使用することにより、上記実施例２と同様か、それに近い機能を期待し得るようにしたものとしているが、切り目加工をコの字状ではなく、三角状、半月状その他の形状によるものとしたり、あるいは、左右方向の中央一箇所ではなく、複数箇所に分散、形成するようにする外、浮き出し片４５の下端側が、蓋体２を横長箱体１開口に被冠状としたときのフィルムカッター２３位置よりも下方にまで達するようにしたもの等とすることができることは、上記した各実施例と同様であって、適宜必要に応じて選択、採用可能である。
【００２７】
【実施例４】
図４の一部に断面を含む斜視図に示した事例は、更に他のフィルム剥がしを採用したものであって、同図からも明確に把握できるとおり、フィルム剥がしとして、この実施例では、横長箱体１の折り目３とならないもう一方の長辺縁が属することとなる横長箱体１の周壁１１印刷面であって、蓋体２を横長箱体１開口に被冠状としたときに、フィルムカッター２３位置と同横長箱体１の折り目３とならないもう一方の長辺縁との間で、当該周壁１１の左右方向全長に渡って、所定巾の非接着面部４６を形成してなるようにした家庭用ラップ収容容器の事例である。
【００２８】
この非接着面部４６は、周壁１１印刷面の上に、梨地処理テープを接着することにより、超薄厚としたラップフィルムＲの分子間引力が作用し難くなるようにしたものであり、蓋体２を横長箱体１開口に被冠状としたときに、フィルムカッター２３位置と同横長箱体１の折り目３とならないもう一方の長辺縁との間に当該テープの上端縁が位置し、同下端縁は、望ましくは、蓋体２を横長箱体１開口に被冠状としたときのフィルムカッター２３位置よりも下方にまで達するようにしたものとするのが望ましく、また、周壁１１の左右方向全長に渡って形成した場合に、ラップフィルムＲの切り口側Ｒ１の密着性が弱くなり過ぎるような傾向があるときは、周壁１１左右方向要所要所に分散、形成するようにしたものとすることもできる。
【００２９】
この非接着面部４６としては、梨地処理テープの接着手段によるものの外、先にも示してあるとおり、テフロン（登録商標）塗膜層を、上記したテープ状になるように形成したり、容器本体の所定周壁自体をプレス等によって凹凸エンボス加工処理するようにしたり、樹脂液等を点在状に配置して周壁１１印刷面上上に凸部分を形成したり、あるいは、印刷塗膜面を研摩処理、あるいは印刷を変更または省略する等といった手段によるものとすることもできる。
【００３０】
【実施例５】
図５の一部に断面を含む斜視図に示した最後の事例は、更に他のフィルム剥がしを採用した家庭用ラップ収容容器であって、この実施例における家庭用ラップ収容容器のフィルム剥がしは、上記までの各実施例のもののように、ラップフィルムＲの分子間引力による密着作用が生じないよう、被密着面、即ち横長箱体１の折り目３とならないもう一方の長辺縁が属することとなる周壁１１印刷面から浮き上がらせてしまうか、その密着作用を弱めてしまうようにした手段によるものとはことなり、被密着面自体を部分的に欠落させてしまうようにしたものの代表的な具体例である。
【００３１】
同図からも明確に伺い知ることができるとおり、この事例によるフィルム剥がしは、横長箱体の折り目とならないもう一方の長辺縁が属することとなる横長箱体周壁の中央辺りに、三箇所（中、一箇所については、図の表現上省略されている。）に、指先またはその一部を吸収可能とする大きさとした刳り貫き孔４７，４７，…を、予めか、あるいは予め所定箇所に切り込みを入れたものとしておいて、使用段階で除去して刳り貫き孔４７，４７，…とするかするようにしたものとして形成し、それら刳り貫き孔４７，４７，…の何れか一つか、あるいは全部に指先またはその一部を押し込むことができるようにした構成からなるようにしたものである。
【００３２】
この事例によるフィルム剥がしを取り入れた家庭用ラップ収容容器では、横長箱体１の折り目３とならないもう一方の長辺縁が属することとなる横長箱体１の周壁１１印刷面前面にラップフィルムＲの切り口側Ｒ１が密着状になったとしても、当該周壁の刳り貫き孔４７，４７，…に相当する箇所のラップフィルム切り口側Ｒ１だけは、相対する箇所の周壁１１が取り除かれていて被密着面を有していない状態になることから、その部分を指先で押し込むことにより、その周辺で密着状となっているラップフィルム切り口側Ｒ１部分が、刳り貫き孔４７，４７，…中心に向く略水平方向に力が加わる結果、その力がそれまでのラップフィルムＲの分子間引力による密着力を越える段階で、それらラップフィルム切り口側Ｒ１部分が周壁１１印刷面から剥がれて切り口を浮き上がらせ、ラップフィルムＲの摘み出しを可能ならしめるようにするものである。
【００３３】
なお、この刳り貫き孔４７，４７，…には、前記した実施例３の場合の浮き出し片４５と同じような切り目あるいは割れ目となし、周壁１１印刷面表面側に押し出すのではなく、容器本体１内部に押し込んでしまうように構成のものとすれば、刳り貫き孔４７，４７，…と略同ようの機能を果たし得るものになることから、このような構成のものも包含することになる。
【００３４】
【実施例６】
上記までの実施例同様にして示す図６の一部に断面を含む斜視図の事例は、上記実施例２における切り目加工による浮き出し片４４と基本的に同様の機能を果たすものであって、該実施例２の浮き出し片４４が、予めΠ字形の切り目加工を施しておいて、その切り目から下方に折り返すようにしたのと違って、予めそれとは逆で、しかも周壁だけに止まらないで底面の一部までに回り込むようにした切り目加工を施しておき、切り目から切り離したときに、その下端側に底面の一部がそのまま一体となった略Ｌ字状の爪付き浮き出し片４８とするようにしたものであり、その爪付き浮き出し片４８の爪部分を拠り所にして所定周壁印刷面よりも引き出してフィルム剥がしにしたものである。
【００３５】
この事例による家庭用ラップ収容容器の爪付き浮き出し片４８では、下向き方向にコの字状に入れた切り目加工部分を、周壁とそれに連続する底面部分の箇所に力を入れて簡単に表側に引き出すことができ、その引き出された爪付き浮き出し片４８は、横長箱体１の一部であって適度に厚紙仕様となっていることからして、使用に際してもフィルム剥がしに必要となるそれ相応の弾発性が期待できるものとなり、この切り目加工部分は、コの字状ではなく、三角状、半月状その他の形状によるものとしたり、あるいは、周壁左右方向の中央一箇所ではなく、複数箇所に分散、形成するようにすることができることは、上記した各実施例同様、適宜必要に応じて選択、採用可能となる。
【００３６】
【実施例７】
図７の一部に断面を含む斜視図に取り上げた事例は、更にまた、他のフィルム剥がしにスポンジ体を採用したものの他の事例による家庭用ラップ収容容器を示したものであり、周壁左右方向の中央一箇所か、複数箇所に分散させるようにするかして、巾寸法が１ｃｍ程度、長さが３ｃｍ程度、そして厚みが、自然状態で３ないし５ｍｍ程度とし、片面に剥離紙付き接着剤層（図示を省略）を有する連続気泡性軟質ウレタンフォーム片４９の、剥離紙を剥がして接着剤を露にしたものを、当該接着剤を使って、然るべき箇所に縦長姿勢にして貼着するようにしたものである。
【００３７】
この事例による剥離紙付き接着剤層を有する連続気泡性軟質ウレタンフォーム片４９は、予め完成品段階で既に形成されたものとしても、素材の性状から容易に弾性収縮して偏平化し、その部分だけが異状に膨らんでしまうこともなく、殆どそれを採用していない従前までのもの同様の角棒状のものとして梱包、出荷することができ、また、該ウレタンフォーム片４９を剥離紙付きのままの状態で別体のものとして、ラップフィルムＲが装填された横長箱体１の余った空間部分に仮着状にして同包するようにした取り扱いのものとし、使用者が、家庭用ラップ収容容器を購入して使用する段に、包装を解き、中からその剥離紙付き接着剤層を有する連続気泡性軟質ウレタンフォーム片４９を取り出し、メーカーサイドで事前に用意しておいた周壁印刷面貼着予定箇所に、剥離紙を剥がした接着剤によって貼着するかして、図７に示す状態にしてしまうものも、この実施例に包含されている。
【００３８】
【作用効果】
以上のとおりの構成からなるこの発明の家庭用ラップ収容容器は、横長箱体の折り目とならないもう一方の長辺縁が属することとなる横長箱体周壁所定箇所にフィルム剥がしを設けてなる家庭用ラップ収容容器であって、超薄厚としたラップフィルムが、その分子間引力の作用を強く受ける性状となっていて、自ら同士は勿論のこと、相対することとなる物体に対しても極めて簡単に密着状になってしまい、摘み部分となる筈べき切り口側、即ち、フィルムカッターで切り離されて蓋部の内側に押さえ込まれて残置することとなった部分が、容器本体の取出し口辺りの周壁印刷面に貼り付いた状態になるという現象を、このフィルム剥がしの組み込みによって確実に解消し、老人をはじめ、目や手先が不自由な人々といえども、次回にラップフィルムを引き出し、使用しようとする際に、何の不都合もなく当該ラップフィルム切り口側を指先で摘むことができるようにするという大きな特徴を有するものとなっている。
【００３９】
特に、この発明を代表する構成からなるものとして取り上げてある幾つかの具体例によるものでは、上記した作用効果に加え、例えば実施例１に示したものでは、フィルム剥がしとして輪ゴム４２に摘み４３を付けたものとしてあって、更に使い勝手の良いものとすることができる上に、乱暴な取扱いによってもラップフィルムＲを引き裂いてしまうような不都合が確実に解消され、また実施例２および３、５、６、７によるものでは、フィルム剥がしのための構成が極めて簡潔なものとなって、従前からの容器の構造をそのままにして、直ぐさまフィルム剥がしの組み込まれたこの発明の新規な構成からなる家庭用ラップ収容容器に改良することを可能にするものであり、更に実施例４として取り上げたものでは、フィルム剥がしによってもたらされる機能が確実に享受可能になり、しかもその構成の組み込みもかなり簡便なものとなって、他の実施例同様に製造も容易なって実用化し易いものになっている等という夫々に秀れた作用効果の期待される家庭用ラップ収容容器を実現化することができる。
【００４０】
叙述の如く、この発明による家庭用ラップ収容容器は、その新規な構成によって所期の目的を普く達成可能にするものであり、しかも、従前からの家庭用ラップ収容容器に比較しても特別に困難な製造手段を必要とすることもなく、殆どそのままのラインによって製造可能にするものとなることから、その価格の点においても何等従来品に引けを取るような虞れもなく、極めて使い勝手が良く、少しでも手際の良い家事労働を心掛けようとしている多くの人々からは勿論のこと、殊に身体的なハンディのある人々からは尚更のこと高い賞賛を受けることになると共に、家庭用ラップ収容容器に係わる業界からもユーザーフレンドリーな新たな商品としての評価がなされ、広範に渡って採用、普及していくものになると予想される。
【図面の簡単な説明】
図面は、この発明による家庭用ラップ収容容器の幾つかの代表的な実施例によるものである。
【図１】この発明に包含される家庭用ラップ収容容器の全体斜視図である。
【図２】この発明に包含される他の実施例による家庭用ラップ収容容器の一部断面を含む要部斜視図である。
【図３】この発明に包含される更に他の実施例による家庭用ラップ収容容器の一部断面を含む要部斜視図である。
【図４】この発明に包含される更に他の実施例による家庭用ラップ収容容器の一部断面を含む要部斜視図である。
【図５】この発明に包含される更に他の実施例による家庭用ラップ収容容器の一部断面を含む要部斜視図である。
【図６】この発明に包含される更に他の実施例による家庭用ラップ収容容器の一部断面を含む要部斜視図である。
【図７】この発明に包含される更に他の実施例による家庭用ラップ収容容器の一部断面を含む要部斜視図である。
【符号の説明】
１　　　　容器本体
１１　　　同　周壁
２　　　　蓋体
２１　　　同　長辺側の袴部
２２　　　同　端辺側の袴部
２３　　　同　フィルムカッター
３　　　　折り目
４　　　　フィルム剥がし
４１　　　同　引っ掛け部
４２　　　同　輪ゴム
４３　　　同　摘み
４４　　　同　折り返し部
４５　　　同　浮き出し片
４６　　　同　被接着面部
４７　　　同　刳り貫き孔
４８　　　同　爪付き浮き出し片
４９　　　同　スポンジ体
Ｐ　　　　ラップフィルム巻着用の紙管
Ｒ　　　　ラップフィルム
Ｒ１　　　同　ラップフィルム切り口側部分
【図１】
2004075192.tif 000003
【図２】
2004075192.tif 000004
【図３】
2004075192.tif 000005
【図４】
2004075192.tif 000006
【図５】
2004075192.tif 000007
【図６】
2004075192.tif 000008
【図７】
2004075192.tif 000009